【事件の表示】
　商願２００５−　９１０３８拒絶査定不服審判事件について、次のとおり審決する。
【結　論】
　原査定を取り消す。
　本願商標は、登録すべきものとする。
【理　由】
１　本願商標
　本願商標は、「Ｓｍａｒｔ　Ｉｄｌｉｎｇ　Ｓｔｏｐ　Ｓｙｓｔｅｍ」の文字を標準文字で表してなり、第７類及び第１２類に属する願書に記載のとおりの商品を指定商品として、平成１７年９月２９日に登録出願、その後、指定商品については、同１８年１１月２日付けの手続補正書をもって、第１２類を「荷役用索道，カーダンパー，カープッシャー，カープラー，牽引車，落下傘，車いす，船舶並びにその部品及び附属品，航空機並びにその部品及び附属品，鉄道車両並びにその部品及び附属品，乳母車，人力車，そり，手押し車，荷車，馬車，リヤカー，タイヤ又はチューブの修繕用ゴムはり付け片，自動車並びにその部品及び附属品，二輪自動車・自転車並びにそれらの部品及び附属品，自動車用のエンジン，その他の陸上の乗物用の動力機械（その部品を除く。），自動車用のサスペンション，その他の陸上の乗物用の緩衝器・ばね，陸上の乗物用の軸・軸受・軸継ぎ手・ベアリング，陸上の乗物用の制動装置，陸上の乗物用の交流電動機又は直流電動機（その部品を除く。），乗物用盗難警報器」に補正されたものである。
　
２　引用商標
　原査定において、本願の拒絶の理由に引用された商標は、以下の１６件である。
（１）登録第４２３７１４号の１商標
商標の構成：「ＳＭＡＲＴ」の欧文字と「スマート」の片仮名文字との二段構成
登録出願日：昭和２５年９月１３日
設定登録日：昭和２８年４月７日
書換登録日：平成１７年８月３日
指定商品：第９類、第１６類、第２７類、第２８類に属する商標登録原簿に記載のとおりの商品
商標権の存続期間の更新登録が４回
（２）登録第２７２４３３２号商標
商標の構成：「ＳＭＡＲＴ」
登録出願日：平成２年１０月３０日
設定登録日：平成１１年７月２日
指定商品：第１１類に属する商標登録原簿に記載のとおりの商品
（３）登録第３１２８８６３号商標
商標の構成：「スマート」
登録出願日：平成４年８月７日
設定登録日：平成８年３月２９日
指定商品：第７類に属する商標登録原簿に記載のとおりの商品
商標権の存続期間の更新登録が１回
（４）登録第４２５５５７２号商標
商標の構成：「ＳＭＡＲＴ」
登録出願日：平成２年１０月３０日
設定登録日：平成１１年３月２６日
指定商品：第９類に属する商標登録原簿に記載のとおりの商品
（５）登録第４３５０１７４号商標
商標の構成：「Ｍ-Ｓｍａｒｔ」
登録出願日：平成１０年１２月１７日
設定登録日：平成１２年１月１４日
指定商品：第１２類に属する商標登録原簿に記載のとおりの商品
（６）登録第４３５６６２３号の１の１商標
商標の構成：「スマート」の片仮名文字と「ＳＭＡＲＴ」の欧文字との二段構成
登録出願日：平成７年７月５日
設定登録日：平成１２年１月２８日
分割移転登録日：平成１３年２月２７日、同１８年１０月５日
指定商品：第９類に属する商標登録原簿に記載のとおりの商品
（７）登録第４３５６６２３号の１の２商標
商標の構成：「スマート」の片仮名文字と「ＳＭＡＲＴ」の欧文字との二段構成
登録出願日：平成７年７月５日
設定登録日：平成１２年１月２８日
分割移転登録日：平成１８年１０月５日
指定商品：第９類に属する商標登録原簿に記載のとおりの商品
（８）登録第４３５６６２３号の２商標
商標の構成：「スマート」の片仮名文字と「ＳＭＡＲＴ」の欧文字との二段構成
登録出願日：平成７年７月５日
設定登録日：平成１２年１月２８日
分割移転登録日：平成１３年２月２７日
指定商品：第９類に属する商標登録原簿に記載のとおりの商品
（９）登録第４３５６６３４号の１の１商標
商標の構成：「ＳＭＡＲＴ」の欧文字と「スマート」の片仮名文字との二段構成
登録出願日：平成８年１１月２０日
設定登録日：平成１２年１月２８日
分割移転登録日：平成１３年２月２７日、同１８年１０月５日
指定商品：第９類に属する商標登録原簿に記載のとおりの商品
（１０）登録第４３５６６３４号の１の２商標
商標の構成：「ＳＭＡＲＴ」の欧文字と「スマート」の片仮名文字との二段構成
登録出願日：平成８年１１月２０日
設定登録日：平成１２年１月２８日
分割移転登録日：平成１８年１０月５日
指定商品：第９類に属する商標登録原簿に記載のとおりの商品
（１１）登録第４３５６６３４号の２商標
商標の構成：「ＳＭＡＲＴ」の欧文字と「スマート」の片仮名文字との二段構成
登録出願日：平成８年１１月２０日
設定登録日：平成１２年１月２８日 
分割移転登録日：平成１３年２月２７日
指定商品：第９類に属する商標登録原簿に記載のとおりの商品
（１２）登録第４４７９１７９号商標
商標の構成： 別掲１のとおり
登録出願日：平成１０年１２月１１日
設定登録日：平成１３年６月１日
指定商品：第１２類に属する商標登録原簿に記載のとおりの商品
（１３）登録第４５５０２４１号の１商標
商標の構成：「Ｓｍａｒｔ」
登録出願日：平成１２年１０月１７日
設定登録日：平成１４年３月８日
分割移転登録日：平成１８年１０月５日
指定商品：第７類及び第９類に属する商標登録原簿に記載のとおりの商品
（１４）登録第４５５０２４１号の２商標
商標の構成：「Ｓｍａｒｔ」
登録出願日：平成１２年１０月１７日
設定登録日：平成１４年３月８日
分割移転登録日：平成１８年１０月５日
指定商品：第９類に属する商標登録原簿に記載のとおりの商品
（１５）登録第４６８２６４５号商標
商標の構成：「ＳＭＡＲＴ　Ｋ」（標準文字）
登録出願日：平成１３年９月２０日
設定登録日：平成１５年６月２０日
指定商品：第１２類に属する商標登録原簿に記載のとおりの商品
（１６）登録第４６９３９７２号商標
商標の構成：別掲２のとおり
登録出願日：平成１１年８月１１日
設定登録日：平成１５年７月２５日
指定商品：第１２類に属する商標登録原簿に記載のとおりの商品
　以下、これらを「引用商標」という。
　なお、原審において本願の拒絶の理由に引用された商願２００５ー８４５２３号に係る商標は、平成１８年１０月３日に拒絶査定が確定している。
　
３　原査定の拒絶理由の要点
　本願商標と引用商標とは、「スマート」の称呼を共通にする類似の商標と認められ、かつ、指定商品も同一又は類似の商品を含むものであるから、商標法第４条第１項第１１号に該当する。
　
４　当審の判断
　本願商標は、前記１に示すとおり、「Ｓｍａｒｔ　Ｉｄｌｉｎｇ　Ｓｔｏｐ　Ｓｙｓｔｅｍ」の欧文字を横書きしてなるところ、構成各文字は、同じ書体及び等間隔に書され、外観上まとまりよく一体的に構成され、観念上も特に軽重の差を見出すことができないものである。また、これより生ずると認められる「スマートアイドリングストップシステム」の称呼も、淀みなく一連に称呼し得るものであり、他に構成中の「Ｓｍａｒｔ」の文字部分のみが独立して、自他商品の識別標識として認識されるものとみるべき特段の事情も見当たらない。
　さらに、その構成中の「Ｉｄｌｉｎｇ　Ｓｔｏｐ　Ｓｙｓｔｅｍ」の文字が、本願の指定商品との関係において、特定の商品の品質を表示するものとして、認識し、理解されるとも言い難く、かかる構成態様においては、この構成中の「スマート」の文字部分が分離抽出して看取されるとみるよりも、構成全体をもって一体不可分の一種の造語として認識、把握されるとみるのが自然である。
　そうすると、本願商標は、その構成文字に相応して「スマートアイドリングストップシステム」の称呼のみを生ずるものと判断するのが相当である。
　したがって、本願商標より「スマート」の称呼をも生ずるとし、その上で、本願商標と引用商標が称呼上類似するものとして、本願商標を商標法第４条第１項第１１号に該当するものということはできない。
　したがって、本願商標を、商標法第４条第１項第１１号に該当するものとして本願を拒絶した原査定は妥当でなく、取消しを免れない。
　その他、政令で定める期間内に本願について拒絶の理由を発見しない。
　よって、結論のとおり審決する。